(57)【要約】      （修正有）【課題】使用状態を把握でき、また、外部設備を制御できる室内電力制御装置を提供する。【解決手段】収納ユニットと、収納ユニットに設けられる制御モジュールとが備えられ、上記制御モジュールに、少なくとも、回路基板に設置された処理ユニットと、変圧ユニットと、通信ユニットと、連接ユニットと、スイッチ部と、ソケット部が設けられ、上記通信ユニットが、各種の通信インターフェイスである端末装置と、互いに連接される処理ユニットと制御ユニット、設定ユニット及び通信ユニットが備えられ、上記通信ユニットが、上記端末装置の通信ユニットと連結して交信する第１のコントローラと、互いに連接される処理ユニットと制御ユニット、出力ユニット及び通信ユニットが備えられ、上記通信ユニットが、上記端末装置の通信ユニットと連結して交信する第２のコントローラと、が含有される。【選択図】図１
0003149797.tif 000002
【実用新案登録請求の範囲】
【請求項１】
収納ユニットと、収納ユニットに設けられる制御モジュールとが備えられ、上記制御モジュールに、少なくとも、回路基板に設置された処理ユニットと、変圧ユニットと、通信ユニットと、連接ユニットと、スイッチ部と、ソケット部が設けられ、上記通信ユニットが、ブルートゥースやＺｉｇｂｅｅ、ＲＦ、ＵＷＢ（Ｕｌｔｒａ  Ｗｉｄｅ  Ｂａｎｄ）、Ｗｉ−Ｆｉ、ＷＩＭＡＸ或いは工業用無線伝送等の通信インターフェースである端末装置と、
互いに連接される処理ユニットと制御ユニット、設定ユニット及び通信ユニットが備えられ、上記通信ユニットが、上記端末装置の通信ユニットと連結して交信する第１のコントローラと、
互いに連接される処理ユニットと制御ユニット、出力ユニット及び通信ユニットが備えられ、上記通信ユニットが、上記端末装置の通信ユニットと連結して交信する第２のコントローラと、
が含有される、ことを特徴とする室内電力制御装置。
【請求項２】
上記収納ユニットは、少なくとも、互いに結合される枠フレームと座体及びパネルが供えられ、上記スイッチ部とソケット部が、対応するようにパネルの一面に設けられることを特徴とする請求項１に記載の室内電力制御装置。
【請求項３】
上記第１のコントローラの通信ユニットは、ブルートゥースやＺｉｇｂｅｅ、ＲＦ、ＵＷＢ（Ｕｌｔｒａ  Ｗｉｄｅ  Ｂａｎｄ）、Ｗｉ−Ｆｉ、ＷＩＭＡＸ或いは工業用無線伝送等の通信インターフェースであることを特徴とする請求項１に記載の室内電力制御装置。
【考案の詳細な説明】
【技術分野】
【０００１】
本考案は、室内電力制御装置に関し、特に、多数の外部設備を端末装置に連接して、第１と第２のコントローラを、端末装置に連結して交信することにより、その使用状態を把握でき、また、外部設備を制御できるものに関する。
【背景技術】
【０００２】
一般の従来の室内電力制御装置は、赤外線伝送を有する制御回路と制御回路に連接されるスイッチ部及制御回路に連結されて交信できるリモコンが備えられ、組み立てる時、上記制御回路に、室内電力と照明ユニットを連接し、また、パネルが、適当に壁面上に設置され、これにより、ユーザーが、スイッチ部やリモコンで、照明ユニットのオン／オフを制御でき、リモコンで遠隔制御の効果が得られる。
【０００３】
上記の従来の室内電力制御装置は、リモコンで、照明ユニットオン／オフを遠隔制御できるが、上記リモコンと制御回路との間において、赤外線で連結されて交信し、上記赤外線が交信する時、直線方式で伝送するため、使用時、交信できない死角が形成され、また、上記制御回路が、単に一対一に照明ユニットを制御するため、実用的とは言えず、そして、その制御回路やリモコンが、照明ユニットとの間に、フィードバックの設計がないため、ユーザーが、被制御設備の作動状態を把握できず、そのため、一般の従来の室内電力制御装置は、実用的ではない。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案の主な目的は、多数の外部設備を端末装置に連接でき、第１と第２のコントローラで、端末装置と交信できることにより、外部設備について、使用状態を把握でき、また、制御できる。
【課題を解決するための手段】
【０００６】
本考案は、上記の目的を達成するため、室内電力制御装置を提供し、収納ユニットと制御モジュールとを有する端末装置が備えられ、上記制御モジュールに、少なくとも、回路基板に設置される処理ユニットと変圧ユニット、通信ユニット、連接ユニット、スイッチ部及びソケット部が設けられ、上記通信ユニットが、インターフェースブルートゥースやＺｉｇｂｅｅ、ＲＦ、ＵＷＢ（Ｕｌｔｒａ  Ｗｉｄｅ  Ｂａｎｄ）、Ｗｉ−Ｆｉ、ＷＩＭＡＸ或いは工業用無線伝送等の通信インターフェースであり、また、処理ユニットと制御ユニット、設定ユニット及び端末装置と連結されて交信できる通信ユニットとを有する第１のコントローラが備えられ、そして、処理ユニットと制御ユニット、出力ユニット及び端末装置と連結されて交信できる通信ユニットとを有する第２のコントローラが備えられる。
【０００７】
以下、図面を参照しながら、本考案の特徴や技術内容について、詳しく説明するが、それらの図面等は、参考や説明のためであり、本考案は、それによって制限されることが無い。
【考案を実施するための最良の形態】
【０００８】
図１と図２は、それぞれ、本考案の基本構造概念図と本考案端末装置の立体分解概念図である。図のように、本考案は、室内電力制御装置であり、少なくとも、端末装置１と、第１のコントローラ２及び第２のコントローラ３から構成され、多数の外部設備を端末装置１に連接でき、第１と第２のコントローラ２、３を利用して、端末装置１と連結して交信でき、そして、外部設備について、使用状態を把握でき、また、制御できる。
【０００９】
上記の端末装置１は、収納ユニット１１と、収納ユニット１１に設けられる制御モジュール１２とが備えられ、上記制御モジュール１２は、少なくとも、それぞれに、回路基板１２１に設けられる処理ユニット１２２と変圧ユニット１２３、通信ユニット１２４、連接ユニット１２５、スイッチ部１２６及びソケット部１２７があり、上記通信ユニット１２４は、ブルートゥースやＺｉｇｂｅｅ、ＲＦ、ＵＷＢ（Ｕｌｔｒａ  Ｗｉｄｅ  Ｂａｎｄ）、Ｗｉ−Ｆｉ、ＷＩＭＡＸ或いは工業用無線伝送等の通信インターフェースであり、上記収納ユニット１１は、少なくとも、互いに結合される枠フレーム１１１や座体１１２及びパネル１１３が備えられ、上記スイッチ部１２６とソケット部１２７が、対応するように、パネル１１３の一面上に設置される。
【００１０】
上記第１のコントローラ２は、互いに連接される処理ユニット２１と制御ユニット２２、設定ユニット２３及び通信ユニット２４が備えられ、上記通信ユニット２４は、上記端末装置１の通信ユニット１２４と連結されて交信でき、上記第１のコントローラ２の通信ユニット２４は、ブルートゥースやＺｉｇｂｅｅ、ＲＦ或いは工業用無線伝送等の通信インターフェースである。
【００１１】
上記第２のコントローラ３は、互いに連接される処理ユニット３１と制御ユニット３２、出力ユニット３３及び通信ユニット３４が備えられ、出力ユニット３３は、ディスプレーであり、上記通信ユニット３４は、上記端末装置１の通信ユニット１２４と連結されて交信でき、上記第２のコントローラ３の通信ユニット３４は、ブルートゥースやＺｉｇｂｅｅ、ＲＦ、ＵＷＢ（Ｕｌｔｒａ  Ｗｉｄｅ  Ｂａｎｄ）、Ｗｉ−Ｆｉ、ＷＩＭＡＸ或いは工業用無線伝送等の通信インターフェースである。上記の構造により、新規の室内電力制御装置が構成される。
【００１２】
図３は、本考案に係る使用状態の概念図である。図のように、本考案によれば、（図２を参照しながら）、上記収納ユニット１１の枠フレーム１１１を、適当な壁面上に設置してから、順に座体１１２とパネル１１３を組み立て、上記制御モジュール１２が、座体１１２に設けられ、また、スイッチ部１２６とソケット部１２７が、対応してパネル１１３の一面上に設置され、これにより、端末装置１が組み立て、その後、室内電力ユニット４０や照明設備４１、電器設備４２、調光器４３等の外部設備を、制御モジュール１２の連接ユニット１２５に電気的に接続し、その後、上記端末装置１と第１のコントローラ２及び第２のコントローラ３は、それぞれ、相対周波数ユニット１３、２４、３５で、各通信ユニット１２４、２４、３４に連結されて交信でき、また、端末装置１の制御モジュール１２は、処理ユニット１２２と変圧ユニット１２３により、通信ユニット１２４や連接ユニット１２５、スイッチ部１２６及びソケット部１２７に電力を供給し、実用上、上記第１のコントローラ２は、パソコンやノットブック或いはサーバーであってもよく、上記第２のコントローラ３は、リモコンであってもよく、
使用する時、ユーザーが、第１のコントローラ２の処理ユニット２１と制御ユニット２２を利用して、通信ユニット２４と端末装置１の通信ユニット１２４による交信で、照明設備４１や電器設備４２及び調光器４３の作動を操作でき、また、照明設備４１や電器設備４２及び調光器４３のオン／オフの動作を制御できるだけでなく、使用慣習に応じて、上記第１のコントローラ２の設定ユニット２３で、関連する設定を行い、照明設備４１や電器設備４２及び調光器４３の起動や遮断の時間を設定でき、
また、使用する時、ユーザーが、上記第２のコントローラ３の処理ユニット３１と制御ユニット３２を利用して、通信ユニット３４と端末装置１の通信ユニット１２４による交信で、照明設備４１や電器設備４２及び調光器４３の作動を操作でき、また、上記照明設備４１や電器設備４２及び調光器４３は、端末装置１と第２のコントローラ３の通信ユニット３４、１２４による交信で、照明設備４１や電器設備４２及び調光器４３の稼動状態を第２のコントローラ３の出力ユニット３３に伝送して表示でき、これにより、ユーザーが、各外部設備の作動状態を把握できる。
【００１３】
また、ユーザーが、直接に、スイッチ部１２６で、照明設備４１や電器設備４２及び調光器４３のオン／オフを制御でき、また、その他の外部設備４４を、ソケット部１２７に電気的に接続して使用できる。
【００１４】
以上のように、本考案に係る室内電力制御装置によれば、有効に従来の諸欠点を改善でき、多数の外部設備を端末装置に連接して、第１と第２のコントローラで端末装置と交信することにより、外部設備について、使用状態を把握できて制御でき、そのため、本考案は、より進歩的かつより実用的で、法に従って実用新案登録請求を出願する。
【００１５】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１６】
【図１】本考案の基本構造概念図
【図２】本考案に係る端末装置の立体分解概念図
【図３】本考案の使用状態概念図
【符号の説明】
【００１７】
１      端末装置
１１    収納ユニット
１１１  枠フレーム
１１２  座体
１１３  パネル
１２    制御モジュール
１２１  回路基板
１２２  処理ユニット
１２３  変圧ユニット
１２４  通信ユニット
１２５  連接ユニット
１２６  スイッチ部
１２７  ソケット部
２      第１のコントローラ
２１    処理ユニット
２２    制御ユニット
２３    設定ユニット
２４    通信ユニット
３      第２のコントローラ
３１    処理ユニット
３２    制御ユニット
３３    出力ユニット
３４    通信ユニット
４０    室内電力ユニット
４１    照明設備
４２    電器設備
４３    調光器
４４    他の外部設備
【図１】
0003149797.tif 000003
【図２】
0003149797.tif 000004
【図３】
0003149797.tif 000005
【手続補正書】
【提出日】平成21年1月29日(2009.1.29)
【手続補正１】
【補正対象書類名】実用新案登録請求の範囲
【補正対象項目名】請求項１
【補正方法】変更
【補正の内容】
【請求項１】
収納ユニットと、収納ユニットに設けられる制御モジュールとが備えられ、上記制御モジュールに、少なくとも、回路基板に設置された処理ユニットと、変圧ユニットと、通信ユニットと、連接ユニットと、スイッチ部と、ソケット部が設けられ、上記通信ユニットが、ブルートゥースやＺｉｇｂｅｅ（登録商標）、ＲＦ、ＵＷＢ（Ｕｌｔｒａ  Ｗｉｄｅ  Ｂａｎｄ）、Ｗｉ−Ｆｉ、ＷＩＭＡＸ（登録商標）或いは工業用無線伝送等の通信インターフェースである端末装置と、
互いに連接される処理ユニットと制御ユニット、設定ユニット及び通信ユニットが備えられ、上記通信ユニットが、上記端末装置の通信ユニットと連結して交信する第１のコントローラと、
互いに連接される処理ユニットと制御ユニット、出力ユニット及び通信ユニットが備えられ、上記通信ユニットが、上記端末装置の通信ユニットと連結して交信する第２のコントローラと、が含有される、ことを特徴とする室内電力制御装置。
【手続補正２】
【補正対象書類名】実用新案登録請求の範囲
【補正対象項目名】請求項３
【補正方法】変更
【補正の内容】
【請求項３】
上記第１のコントローラの通信ユニットは、ブルートゥースやＺｉｇｂｅｅ（登録商標）、ＲＦ、ＵＷＢ（Ｕｌｔｒａ  Ｗｉｄｅ  Ｂａｎｄ）、Ｗｉ−Ｆｉ、ＷＩＭＡＸ（登録商標）或いは工業用無線伝送等の通信インターフェースであることを特徴とする請求項１に記載の室内電力制御装置。
【手続補正３】
【補正対象書類名】明細書
【補正対象項目名】０００６
【補正方法】変更
【補正の内容】
【０００６】
本考案は、上記の目的を達成するため、室内電力制御装置を提供し、収納ユニットと制御モジュールとを有する端末装置が備えられ、上記制御モジュールに、少なくとも、回路基板に設置される処理ユニットと変圧ユニット、通信ユニット、連接ユニット、スイッチ部
及びソケット部が設けられ、上記通信ユニットが、インターフェースブルートゥースやＺｉｇｂｅｅ（登録商標）、ＲＦ、ＵＷＢ（Ｕｌｔｒａ  Ｗｉｄｅ  Ｂａｎｄ）、Ｗｉ−Ｆｉ、ＷＩＭＡＸ（登録商標）或いは工業用無線伝送等の通信インターフェースであり、また、処理ユニットと制御ユニット、設定ユニット及び端末装置と連結されて交信できる通信ユニットとを有する第１のコントローラが備えられ、そして、処理ユニットと制御ユニット、出力ユニット及び端末装置と連結されて交信できる通信ユニットとを有する第２のコントローラが備えられる。